(57)【要約】【課題】周囲の人から視認されやすく、また、周囲の人に接触しても驚かすことも怪我を負わすこともない車椅子接近通知器を提供する。【解決手段】可撓性を有する軟質部材からなり車椅子の前部かつ搭乗者の脚部を囲うように設けられ、周囲の人に接触したときに変形可能な本体部と、前記本体部を前記車椅子に取付ける取付部と、を備える。また、前記本体部が、その内部に気体が注入されることによって膨らみ所定の形状を保持する中空部材、発泡ゴム、又はスポンジで構成されている。【選択図】図１
2018027274.tif 000002
【特許請求の範囲】
【請求項１】
可撓性を有する軟質部材からなり、車椅子の前部に搭乗者の脚部を囲うように設けられ、周囲の人に接触したときに変形可能な本体部と、
前記本体部を前記車椅子に取付ける取付部と、
を備えることを特徴とする車椅子接近通知器。
【請求項２】
前記本体部が中空部材であるとともに空気注入口を備え、
前記空気注入口から前記本体部に気体が注入されることによって前記本体部が膨らみ、所定の形状を保持することを特徴とする請求項１に記載の車椅子接近通知器。
【請求項３】
前記本体部が発泡ゴム又はスポンジで構成されていることを特徴とする請求項１に記載の車椅子接近通知器。
【請求項４】
前記本体部が棒状部材を組み合わせてなることを特徴とする請求項１ないし３のいずれか１項に記載の車椅子接近通知器。
【請求項５】
前記取付部が、前記車椅子又は前記本体部から着脱可能に構成されていることを特徴とする請求項１ないし４のいずれか１項に記載の車椅子接近通知器。
【発明の詳細な説明】
【技術分野】
【０００１】
本発明は、車椅子等の前面に設け、周囲の人々に車椅子の接近を知らせる車椅子接近通知器に関する。
【背景技術】
【０００２】
昨今、障害者の社会参加の促進、及び地域での障害者の自立した生活を支える必要があることから、障害者の外出をサポートし促進させるという考えがある。しかし、例えば、肢体不自由の障害者等が車椅子に乗って移動する際、特に混雑した人混みでは周囲の人が車椅子の存在に気付かずに接触してしまい、周囲の人を驚かせてしまう、又は周囲の人に怪我を負わせてしまうおそれがあった。また、接触した際、車椅子の搭乗者自身も負傷してしまうおそれもあった。このため、障害者の自立を促しながらも外出が制限される事態を招いていた。
【０００３】
そこで、車椅子の搭乗者の脚部を障害物から保護し、搭乗者が脚部に損傷を負うことを防止することを目的として、例えば、特開２００２−２３８９５１号公報（特許文献１）に、車椅子のレッグレストの前方に、所定の間隙を設けて位置するカバー本体を取付けた車椅子用保護カバーが開示されている。
【０００４】
また、室内の扉、柱、壁面に接触してもこれらの損傷を防止するとともに、搭乗者の手を保護することを目的として、実用新案登録第３１１１５６１号公報（特許文献２）に、車椅子の左右の下段側部に取付ける車椅子用緩衝具が開示されている。
【先行技術文献】
【特許文献】
【０００５】
【特許文献１】特開２００２−２３８９５１号公報
【特許文献２】実用新案登録第３１１１５６１号公報
【発明の概要】
【発明が解決しようとする課題】
【０００６】
しかし、特許文献１に開示されている車椅子用保護カバーは、搭乗者自身の保護に重きをおいて構成されたもので、搭乗者の怪我は防止できるものの、周囲の人に対する配慮はなく、周囲の人を驚かせない又は周囲の人に怪我をさせないという効果はなかった。
【０００７】
また、特許文献２に開示されている車椅子用緩衝具では、その目的が屋内の設備の保護であり、本発明とは課題が相違する。さらに、特許文献２の車椅子用緩衝具では、その取付位置が車椅子の下段側部であり、周囲の人から視認されにくく、かえって周囲の人がつまづいてしまう等のトラブルが発生するおそれがあった。
【０００８】
本発明は、上記の点に鑑みなされたもので、車椅子の前部に設けられることで周囲の人から視認されやすく、また、周囲の人に接触しても変形することで、周囲の人を驚かすことも怪我を負わすこともない車椅子接近通知器を提供することを目的とする。
【０００９】
また、本発明の別の目的は、車椅子を操作する際に、介助者及び搭乗者が無意識のうちに車椅子接近通知器を周囲の人や構造物等に接触させないよう操作すると考えられることから、搭乗者自身をも保護することを目的とする。
【課題を解決するための手段】
【００１０】
１）本発明の車椅子接近通知器は、
可撓性を有する軟質部材からなり、車椅子の前部に搭乗者の脚部を囲うように設けられ、周囲の人に接触したときに変形可能な本体部と、
前記本体部を前記車椅子に取付ける取付部と、
を備えることを特徴とする。
【００１１】
本発明の車椅子接近通知器によれば、車椅子の前部に設けられる本体部が、可撓性を有する軟質部材からなるため、周囲の人に接触しても本体部が変形し、周囲の人は何かが当たっている程度しか感じず、驚かすことがない。また、同様に、本体部が変形するため、周囲の人に接触しても怪我を負わせることがなく、安全に車椅子の存在を知らしめることができる。なお、ここでの変形とは、変形が本体部の表層のみならず、本体部の少なくとも一部が座屈し変形することを意図する。
【００１２】
また、本体部が可撓性を有する軟質部材からなることから、車椅子の形状及び寸法が異なっても対応でき、同じ寸法の車椅子接近通知器を複数の車椅子に取付けることが可能となる。
【００１３】
２）本発明の車椅子接近通知器の好ましい例は、
前記本体部が中空部材であるとともに空気注入口を備え、
前記空気注入口から前記本体部に気体が注入されることによって前記本体部が膨らみ、所定の形状を保持することを特徴とする。
【００１４】
本発明の車椅子接近通知器の好ましい例によれば、本体部が、その内部に気体が注入されることによって膨らみ、所定の形状を保持する中空部材であり、気体の圧力によって形状を保持する構成である。このため、クッション性に優れ、上述の周囲の人を驚かせないこと及び周囲の人に怪我を負わせることがないことの効果をより高めることができる。また、使用しないときは、本体部から気体を抜いて小さく収納することができる。
【００１５】
３）本発明の車椅子接近通知器の好ましい例は、
前記本体部が発泡ゴム又はスポンジで構成されていることを特徴とする。
【００１６】
本発明の車椅子接近通知器の好ましい例によれば、本体部が、発泡ゴム又はスポンジで構成されているため、クッション性に優れ、上記同様に周囲の人を驚かせないこと及び周囲の人に怪我を負わせることがないことの効果をより高めることができる。
【００１７】
４）本発明の車椅子接近通知器の好ましい例は、
前記本体部が棒状部材を組み合わせてなることを特徴とする。
【００１８】
本発明の車椅子接近通知器の好ましい例によれば、本体部が、棒状部材を組み合わせてなるため、車椅子接近通知器全体の面積を増大させることと、本体部の軽量化、変形のし易さ、製造時のコストダウン、及び設置のし易さを図ることができる。なお、ここでの棒状部材とは、外観が棒状であればよく、その内部構造が中空であるか否かは問わない。
【００１９】
５）本発明の車椅子接近通知器の好ましい例は、
前記取付部が、前記車椅子又は前記本体部から着脱可能に構成されていることを特徴とする。
【００２０】
本発明の車椅子接近通知器の好ましい例によれば、取付部が、車椅子又は本体部から着脱可能に構成されているため、外出の際に必要に応じて着脱することができる。
【発明の効果】
【００２１】
以上、説明したように、本発明の車椅子接近通知器によれば、車椅子の前部に設けられることで周囲の人から視認されやすく、また、変形することで周囲の人に接触しても驚かすことなく怪我も負わすことがない。また、本発明の車椅子接近通知器を車椅子に取付けることによって、車椅子を操作する際に、無意識のうちに車椅子接近通知器を周囲の人や構造物等に接触させないよう操作することから、搭乗者自身をも保護することができる。
【図面の簡単な説明】
【００２２】
【図１】本発明の一実施形態に係る車椅子接近通知器を示す図である。
【図２】車椅子接近通知器を車椅子に取付けたときの正面図である。
【図３】車椅子接近通知器を車椅子に取付けたときの側面図である。
【発明を実施するための形態】
【００２３】
以下、本発明の車椅子接近通知器の実施の形態について、添付図面を参照して詳細に説明する。図１は本発明の一実施形態に係る車椅子接近通知器１０を示す図である。また、図２は車椅子接近通知器１０を車椅子３０に取付けたときの正面図、図３は車椅子接近通知器１０を車椅子３０に取付けたときの側面図である。
【００２４】
図１から図３に示すように、本実施形態の車椅子接近通知器１０は、本体部２０と、取付部２２とを備える。本体部２０は、車椅子３０の周囲の人に接触した際、周囲の人が驚いたり痛みを覚えるような衝撃を与えないよう、本体部２０が座屈し変形する構成が好ましい。このため、本実施形態で用いられる本体部２０では、可撓性を有する軟質部材が採用される。具体的には、ポリ塩化ビニル等の軟質合成樹脂又はゴム等の材料を用い、内部が空洞となった棒状の中空部材で構成される。そして、これらの棒状部材を格子状に組み合わせ、それを平面視で略コ字状に形成することで、車椅子３０の前部に取付けたときに、搭乗者の脚部を囲うことができる。なお、組み合わせるとは、本実施形態の本体部２０のように最初から一体に形成することのみならず、１本１本の棒状部材を後から組んで本体部とすることも含む。
【００２５】
また、本体部２０には空気注入口２１が設けられており、この空気注入口２１から空気等の気体を注入することによって、気体の圧力で本体部２０が膨らむとともに、図示するような格子状を形成し保持する。また、使用しないときは、空気注入口２１から内部の空気を抜くことによって本体部２０の容積が減少し、小さく収納することができる。
【００２６】
なお、本体部２０は、車椅子３０の周囲の人に接触した際に変形するよう、可撓性を有する軟質部材であればよく、上述の内部に気体を注入する態様に限定されない。例えば、本体部２０を発泡ゴムやスポンジ等の発泡部材、軟質ゴム等で構成することもできる。また、その他として、バネ等の弾性体の周囲を被覆したものも採用することができる。
【００２７】
ここで、本体部２０が座屈して変形するときの力であるが、弱すぎると周囲の人は本体部２０が接触していることに気付かない。一方、強すぎると周囲の人に痛み等を与えて、不快な思いをさせてしまう。このため、本体部２０の少なくとも一部に、０．３〜５ｋｇｆの力が加わったときに、本体部２０が座屈して変形するように構成することが好ましい。
【００２８】
なお、本実施形態の車椅子接近通知器１０では、本体部２０を格子状かつ平面視略コ字状としているが、形状はこれに限定されず様々な形態とすることができる。例えば、本体部２０を単なる棒状部材にして、これを横方向に１本から数本架けわたすようにしてもよいし、本体部２０を面状に構成してもよい。また、本体部２０の格子を斜め格子としてもよい。さらに、搭乗者の脚部を完全に囲う必要はなく、周囲の人に本実施形態の車椅子接近通知器１０が接触して車椅子３０の接近を知らしめることができる範囲が囲ってあればよい。例えば、平面視略Ｌ字状及び略逆Ｌ字状に分割された本体部を用いて搭乗者の脚部の側方及び前方の一部を囲う構成、又は平面視略Ｉ字状の本体部を二つ用いて搭乗者の脚部の主に側方を囲う構成とすることもできる。
【００２９】
取付部２２は、本体部２０を車椅子３０のフレーム３１、レッグレスト３２等に取付けるもので、本実施形態では、本体部２０の後端の左右上下の４箇所に設けられている。この取付部２２は、車椅子又は本体部２０から着脱可能に構成されていることが好ましく。本実施形態では、面ファスナー２３で車椅子３０のフレーム３１及びレッグレスト３２に巻き付けられて取付けられる構成となっている。この着脱自在に取付ける部材としては、面ファスナー２３以外にも、ボタン、ベルト用金具、ボルト等の公知の様々な部材が採用できる。
【００３０】
以上、説明したように、本実施形態の車椅子接近通知器によれば、本体部が周囲の人に接触したときに変形するため、車椅子の接近によって周囲の人を驚かすことがなく、周囲の人に怪我を負わす等危害を加えることもない。また、車椅子を操作する方も、車椅子接近通知器を周囲の人や構造物等に接触させないよう操作するため、結果として搭乗者の脚部が周囲の人や構造物等にぶつかることがなく、搭乗者自身の脚部をも保護することができる。
【００３１】
また、本体部が可撓性を有する軟質部材であるとともに、着脱可能な取付部を備えるため、車椅子の形状及び寸法が異なっても対応でき、一つの車椅子接近通知器を複数の車椅子に取付けることが可能となる。これにより、介護施設等の複数の障害者を支援している事業所では、車椅子接近通知器を車椅子の台数分購入する必要がなくなり、同時に外出する人数分ほど揃えておけば足りる。
【００３２】
また、本体部が、その内部に気体を注入する構成では、使用しないときは気体を本体部から抜くことによって、本体部を小さく収納することができる。
【００３３】
なお、本実施形態の車椅子接近通知器は、本発明の例示であり、発明の趣旨を逸脱しない範囲においてその構成を適宜変更することができる。
【符号の説明】
【００３４】
１０・・車椅子接近通知器、
２０・・本体部、２１・・空気注入口、２２・・取付部、２３・・面ファスナー、
３０・・車椅子、３１・・フレーム、３２・・レッグレスト、
【図１】
2018027274.tif 000003
【図２】
2018027274.tif 000004
【図３】
2018027274.tif 000005